【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
音が放音されている状態における、ユーザの睡眠深度を示す睡眠深度データを取得する睡眠深度データ取得手段と、
前記睡眠深度データ取得手段により取得された、睡眠深度データが示す睡眠深度の経時変化と、前記ユーザに係る基準となる睡眠深度の経時変化とに基づき、前記ユーザが睡眠中に放音されている音が、前記ユーザの睡眠深度の経時変化に与える影響を示す影響データを生成し、当該音を示す音データと当該音に関し生成した影響データとを互いに関連付ける生成手段と、
複数の音データの中から当該複数の音データと関連付けられている影響データに基づき、前記ユーザの睡眠深度の経時変化が示す現在の睡眠状態に応じた、前記ユーザの睡眠深度の経時変化に影響を与える音を示す音データを選択し、選択した音データが示す音を放音装置に出力する選択手段と
を備える装置。
【請求項２】
前記生成手段は、前記ユーザが睡眠中に放音されている音が、所定の睡眠深度が維持される時間を伸ばすか否かを示す、影響データを生成する
請求項１に記載の装置。
【請求項３】
前記生成手段は、前記ユーザが睡眠中に放音されている音が、睡眠深度を深めるか否かを示す、影響データを生成する
請求項１または請求項２に記載の装置。
【請求項４】
前記選択手段は、前記ユーザの現在の睡眠深度が安定している場合に、前記ユーザの現在の睡眠深度が維持される時間を伸ばす音を示す音データを影響データに基づいて選択し、選択した音データが示す音を前記放音装置に出力する
請求項２に記載の装置。
【請求項５】
前記選択手段は、前記ユーザの現在の睡眠深度が深い方向に変化している場合に、前記ユーザの現在の睡眠深度を更に深める音を示す音データを影響データに基づいて選択し、選択した音データが示す音を前記放音装置に出力する
請求項３に記載の装置。
【請求項６】
音が放音されている状態における、ユーザの睡眠深度を示す睡眠深度データを取得する睡眠深度データ取得手段と、
前記睡眠深度データ取得手段により取得された、睡眠深度データが示す睡眠深度の経時変化と、前記ユーザに係る基準となる睡眠深度の経時変化とに基づき、前記ユーザが睡眠中に放音されている音が、前記ユーザの睡眠深度の経時変化に与える影響を示す影響データを生成し、当該音を示す音データと当該音に関し生成した影響データとを互いに関連付ける生成手段と、
複数の音データの中から当該複数の音データと関連付けられている影響データに基づき、前記ユーザの睡眠深度の経時変化が示す現在の睡眠状態に応じた、前記ユーザの睡眠深度の経時変化に影響を与える音を示す音データを選択し、選択した音データが示す音を放音装置に出力する選択手段と
を備えるシステム。
【請求項７】
コンピュータを、
音が放音されている状態における、ユーザの睡眠深度を示す睡眠深度データを取得する睡眠深度データ取得部、
前記睡眠深度データ取得部により取得された、睡眠深度データが示す睡眠深度の経時変化と、前記ユーザに係る基準となる睡眠深度の経時変化とに基づき、前記ユーザが睡眠中に放音されている音が、前記ユーザの睡眠深度の経時変化に与える影響を示す影響データを生成し、当該音を示す音データと当該音に関し生成した影響データとを互いに関連付ける生成部、 複数の音データの中から当該複数の音データと関連付けられている影響データに基づき、前記ユーザの睡眠深度の経時変化が示す現在の睡眠状態に応じた、前記ユーザの睡眠深度の経時変化に影響を与える音を示す音データを選択し、選択した音データが示す音を放音装置に出力する選択部
として機能させるためのプログラム。
【手続補正２】
【補正対象書類名】明細書
【補正対象項目名】０００５
【補正方法】変更
【補正の内容】
【０００５】
上述した課題を解決するため、本発明は、音が放音されている状態における、ユーザの睡眠深度を示す睡眠深度データを取得する睡眠深度データ取得手段と、前記睡眠深度データ取得手段により取得された、睡眠深度データが示す睡眠深度の経時変化と、前記ユーザに係る基準となる睡眠深度の経時変化とに基づき、前記ユーザが睡眠中に放音されている音が、前記ユーザの睡眠深度の経時変化に与える影響を示す影響データを生成し、当該音を示す音データと当該音に関し生成した影響データとを互いに関連付ける生成手段と、複数の音データの中から当該複数の音データと関連付けられている影響データに基づき、前記ユーザの睡眠深度の経時変化が示す現在の睡眠状態に応じた、前記ユーザの睡眠深度の経時変化に影響を与える音を示す音データを選択し、選択した音データが示す音を放音装置に出力する選択手段とを備える装置を提供する。
【手続補正３】
【補正対象書類名】明細書
【補正対象項目名】０００６
【補正方法】変更
【補正の内容】
【０００６】
上述した装置において、前記生成手段は、前記ユーザが睡眠中に放音されている音が、所定の睡眠深度が維持される時間を伸ばすか否かを示す、影響データを生成する、という構成が採用されてもよい。
【手続補正４】
【補正対象書類名】明細書
【補正対象項目名】０００７
【補正方法】変更
【補正の内容】
【０００７】
また、上述した装置において、前記生成手段は、前記ユーザが睡眠中に放音されている音が、睡眠深度を深めるか否かを示す、影響データを生成する、という構成が採用されてもよい。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
また、上述した装置において、前記選択手段は、前記ユーザの現在の睡眠深度が安定している場合に、前記ユーザの現在の睡眠深度が維持される時間を伸ばす音を示す音データを影響データに基づいて選択し、選択した音データが示す音を前記放音装置に出力する、という構成が採用されてもよい。
【手続補正７】
【補正対象書類名】明細書
【補正対象項目名】００１０
【補正方法】変更
【補正の内容】
【００１０】
また、上述した装置において、前記選択手段は、前記ユーザの現在の睡眠深度が深い方向に変化している場合に、前記ユーザの現在の睡眠深度を更に深める音を示す音データを影響データに基づいて選択し、選択した音データが示す音を前記放音装置に出力する、という構成が採用されてもよい。
【手続補正８】
【補正対象書類名】明細書
【補正対象項目名】００１１
【補正方法】変更
【補正の内容】
【００１１】
また、本発明は、音が放音されている状態における、ユーザの睡眠深度を示す睡眠深度データを取得する睡眠深度データ取得手段と、前記睡眠深度データ取得手段により取得された、睡眠深度データが示す睡眠深度の経時変化と、前記ユーザに係る基準となる睡眠深度の経時変化とに基づき、前記ユーザが睡眠中に放音されている音が、前記ユーザの睡眠深度の経時変化に与える影響を示す影響データを生成し、当該音を示す音データと当該音に関し生成した影響データとを互いに関連付ける生成手段と、複数の音データの中から当該複数の音データと関連付けられている影響データに基づき、前記ユーザの睡眠深度の経時変化が示す現在の睡眠状態に応じた、前記ユーザの睡眠深度の経時変化に影響を与える音を示す音データを選択し、選択した音データが示す音を放音装置に出力する選択手段とを備えるシステムを提供する。
【手続補正９】
【補正対象書類名】明細書
【補正対象項目名】００１２
【補正方法】変更
【補正の内容】
【００１２】
また、本発明は、コンピュータを、音が放音されている状態における、ユーザの睡眠深度を示す睡眠深度データを取得する睡眠深度データ取得部、前記睡眠深度データ取得部により取得された、睡眠深度データが示す睡眠深度の経時変化と、前記ユーザに係る基準となる睡眠深度の経時変化とに基づき、前記ユーザが睡眠中に放音されている音が、前記ユーザの睡眠深度の経時変化に与える影響を示す影響データを生成し、当該音を示す音データと当該音に関し生成した影響データとを互いに関連付ける生成部、複数の音データの中から当該複数の音データと関連付けられている影響データに基づき、前記ユーザの睡眠深度の経時変化が示す現在の睡眠状態に応じた、前記ユーザの睡眠深度の経時変化に影響を与える音を示す音データを選択し、選択した音データが示す音を放音装置に出力する選択部として機能させるためのプログラムを提供する。